(57)【要約】  【課題】  ケーブルの露出を低減することのできるケーブルダクト装置を提供する。  【解決手段】  ケーブルダクト装置１は、機器接続側開口５と床側開口７を両端に有し、電子機器と床面落込み口１１との間でケーブルを導く装置であり、床側開口１１の領域を変更する可変開口領域構造を備えている。ケーブルダクト装置１において、本体筒部１７は、内部にダクト空間を有し、筒壁の下部に壁開口を有している。カバー１９は、本体筒部１７を取り囲むと共に壁開口を塞ぐ縮小姿勢と、本体筒部１７に対して傾斜することによって本体筒部１７の筒壁から離れる拡張姿勢とで、本体筒部１７に取付可能である。拡張姿勢のカバー１９は、本体筒部１７の外に、壁開口を介してダクト空間と連通する補助ダクト空間を形成する。ケーブル１３は補助ダクト空間を通って床面落込み口１１へ導かれる。【選択図】  図１
2006311737.tif 000002
【特許請求の範囲】
【請求項１】
機器接続側開口と床側開口を両端に有し、電子機器と床面落込み口との間でケーブルを導くケーブルダクト装置において、前記床側開口の領域を変更する可変開口領域構造を備えたことを特徴とするケーブルダクト装置。
【請求項２】
本体筒部と、前記本体筒部を部分的に取り囲む形状を有するカバーとを備え、
前記本体筒部は、内部にダクト空間を有し、筒壁の下部に壁開口を有しており、
前記カバーは、前記本体筒部を取り囲むと共に前記壁開口を塞ぐ縮小姿勢と、前記本体筒部に対して傾斜することによって前記本体筒部の筒壁から離れる拡張姿勢とで前記本体筒部に取付可能であり、前記拡張姿勢のカバーは、前記本体筒部の外に、前記壁開口を介して前記ダクト空間と連通する補助ダクト空間を形成することを特徴とする請求項１に記載のケーブルダクト装置。
【請求項３】
前記本体筒部は本体円筒部を有しており、前記拡張姿勢の前記カバーは、前記本体円筒部を中心として回動方向に向きを変更可能であることを特徴とする請求項２に記載のケーブルダクト装置。
【請求項４】
前記カバーは、前記縮小姿勢にて前記本体円筒部を囲む半円筒状の前板部と前記前板部の両側の平行な側板部とを有し、前記縮小姿勢の前記カバーは、下端に水平な第１縁部を有すると共に上端に傾斜した第２縁部を有しており、前記拡張姿勢では前記カバーが前記縮小姿勢に対して倒立されて、前記第１縁部が上側に位置して前記本体円筒部の円筒面に近接し、前記第２縁部が下側に位置して床に近接することを特徴とする請求項３に記載のケーブルダクト装置。
【請求項５】
水平方向に伸縮および屈曲可能な蛇腹壁部を備えたことを特徴とする請求項１に記載のケーブルダクト装置。
【発明の詳細な説明】
【技術分野】
【０００１】
本発明は、電子機器から床下へケーブルを導くケーブルダクト装置に関する。
【背景技術】
【０００２】
従来、電子機器に接続されるケーブルの配線のためにケーブルダクト装置が用いられている。ケーブルダクト装置は、ケーブルの本数が多い場合のケーブル露出を避けるために有用に用いられる。電子機器は例えば操作卓である。
【０００３】
図１０は、操作卓に備えられた従来のケーブルダクト装置の例である。図１０の操作卓はミキサであり、多数のケーブルが接続される電子機器の一つである。この従来例では、左右の足の内側にケーブルダクト３０１（斜線部）が備えられている。各ケーブルダクト３０１は筒型であり、上端および下端に開口を有している。操作卓の背面には複数のケーブルが接続される。これらのケーブルは、上端の開口からケーブルダクト３０１に入り、ケーブルダクト３０１を通り抜け、下端の開口からでる。そして、ケーブルは、ＯＡフロアで見られるような床面落込み口を通って床下空間に入っていく。
【０００４】
図１１は、従来のケーブルダクト装置のもう一つの例である。図１１の例では、ケーブルダクト４０１（斜線部）が横方向に拡大されている。すなわち、ケーブルダクト４０１が、左右の足間の全域に設けられている。
【０００５】
また、特許文献１は、キャビネットの間に配置されるケーブルダクト装置を開示している。ケーブルダクト装置は薄型であり、キャビネット上の電子機器のケーブルを下方へ導くように構成されている。
【特許文献１】特開平１１−１５５２２８号公報（第２−３ページ、図１、図２）
【発明の開示】
【発明が解決しようとする課題】
【０００６】
しかしながら、図１０に示した従来のケーブルダクト装置においては、下端の床側開口の位置が固定されているために、電子機器の設置位置によって床側開口の位置が床面のケーブル落込み口とずれたときに床側開口から床面落込み口までケーブルが露出してしまうという問題があった。図１１のケーブルダクト装置では、ケーブルダクトが大型のために操作者の足を置くスペースが狭くなり、操作性が損なわれるという問題があった。さらに、特許文献１の構成においても、図１０の従来技術と同様、床面の落込み口との位置ずれによるケーブル露出の問題があった。
【０００７】
本発明は、従来の問題を解決するためになされたもので、その目的は、ケーブルの露出を低減することのできるケーブルダクト装置を提供することにある。
【課題を解決するための手段】
【０００８】
本発明のケーブルダクト装置は、機器接続側開口と床側開口を両端に有し、電子機器と床面落込み口との間でケーブルを導く装置であって、前記床側開口の領域を変更する可変開口領域構造を備えている。
【０００９】
この構成により、床側開口の領域を変更できるので、床面落込み口の位置に合わせて床側開口の領域を変更して、ケーブルの露出を低減することができる。
【００１０】
また、本発明のケーブルダクト装置は、本体筒部と、前記本体筒部を部分的に取り囲む形状を有するカバーとを備え、前記本体筒部は、内部にダクト空間を有し、筒壁の下部に壁開口を有しており、前記カバーは、前記本体筒部を取り囲むと共に前記壁開口を塞ぐ縮小姿勢と、前記本体筒部に対して傾斜することによって前記本体筒部の筒壁から離れる拡張姿勢とで前記本体筒部に取付可能であり、前記拡張姿勢のカバーは、前記本体筒部の外に、前記壁開口を介して前記ダクト空間と連通する補助ダクト空間を形成する。
【００１１】
この構成により、本体筒部へのカバーの取付姿勢を変更することによって床側開口の領域を変更できる。床側開口の領域を作業者が容易に変更できるケーブルダクト装置を、本体筒部とカバーを備えた簡単な構成でもって実現できる。
【００１２】
また、本発明のケーブルダクト装置において、前記本体筒部は本体円筒部を有しており、前記拡張姿勢の前記カバーは、前記本体円筒部を中心として回動方向に向きを変更可能である。この構成により、床側開口の領域変更の自由度を増し、ケーブル露出をさらに低減できる。
【００１３】
また、本発明のケーブルダクト装置において、前記カバーは、前記縮小姿勢にて前記本体円筒部を囲む半円筒状の前板部と前記前板部の両側の平行な側板部とを有し、前記縮小姿勢の前記カバーは、下端に水平な第１縁部を有すると共に上端に傾斜した第２縁部を有しており、前記拡張姿勢では前記カバーが前記縮小姿勢に対して倒立されて、前記第１縁部が上側に位置して前記本体円筒部の円筒面に近接し、前記第２縁部が下側に位置して床に近接する。この構成により、縮小姿勢ではカバーと本体筒部がコンパクトに組み合わされ、また、拡張姿勢ではケーブルダクトと床面の隙間を小さくすることができ、ケーブル露出をさらに低減できる。
【００１４】
また、本発明のケーブルダクト装置は、水平方向に伸縮および屈曲可能な蛇腹壁部を備えている。この構成によっても、床側開口の領域を床面落込み口の位置に合わせて変更することができ、ケーブル露出を低減できる。
【発明の効果】
【００１５】
本発明は、床側開口の領域を変更する可変開口領域構造を設けることにより、ケーブル露出を低減できるという効果を有するケーブルダクト装置を提供できる。
【発明を実施するための最良の形態】
【００１６】
以下、本発明の実施の形態のケーブルダクト装置について、図面を用いて説明する。
【００１７】
本発明の第１の実施の形態に係るケーブルダクト装置を図１に示す。図１において、ケーブルダクト装置１は、電子機器の一例としての操作卓に備えられている。操作卓は例えば音響ミキサである。図１は、操作卓台３を示しており、操作卓本体（図示せず）は、図１の操作卓台３の上に載せられる。
【００１８】
ケーブルダクト装置１は、操作卓台３の横桟５の下面に取り付けられている。ケーブルダクト装置１は、上端に機器接続側開口７を有しており、下端に床側開口９を有しており、操作卓と床面落込み口１１との間でケーブル１３を導く。ケーブル１３は、クランプ１５で操作卓台３の横桟５に保持されており、下方に曲がってケーブルダクト装置１に入る。床面落込み口１１は、ＯＡフロアで見られるような床面の開口である。
【００１９】
本実施の形態のケーブルダクト装置１は、概略的には、本体筒部１７とカバー１９を備えている。そして、本体筒部１７に対するカバー１９の取付姿勢が変更可能である。本発明では、図１の上側の取付姿勢を縮小姿勢と呼び、下側の取付姿勢を拡張姿勢と呼ぶ。この取付姿勢の変更によって、床側開口９の領域を変更することができる。以下、各部の詳細を説明する。
【００２０】
図２は、ケーブルダクト装置１の分解図である。本体筒部１７は、四角形の筒であり、前壁２１、左右の側壁２３、２５、後壁２７を備えている。本体筒部１７の上下は開いており、したがって、本体内部を上下に貫通するようにダクト空間２９が形成されている。本体筒部１７は例えば鋼板製である。
【００２１】
本体筒部１７は、図３に示すように、２分割構造を有している。前方部材３１は、前壁２１、側壁２３、２５を形成している。後方部材３３は後壁２７を形成している。後壁２７の両側が折り曲げられており、両側の折曲げ部分３５に前方部材３１の側壁２３、２５がねじ等で結合されている。また、後壁２７の上方部分が後方に折り曲げられて取付フランジ３７が形成されている。この取付フランジ３７が、操作卓台３の横桟５へと下方からねじ等で固定される。ここで、取付フランジ３７の穴３７ａが横桟５の穴５ａと合わされて、取付フランジ３７と横桟５がねじで固定される。本体筒部１７の横桟５への左右方向の取付位置を可変にできるように、横桟５には複数の穴５ａが配設されている。
【００２２】
また、本体筒部１７の前壁２１の下部には、壁開口３９が設けられている。壁開口３９によって、ダクト空間２９が本体筒部１７の外部空間と連通する。
【００２３】
次に、カバー１９について説明する。カバー１９も例えば鋼板製である。カバー１９は、本体筒部１７を部分的に取り囲む形状を有している。図２に示すように、カバー１９は、前板５１と左右の側板５３、５５とで構成されている。図１の上側の縮小姿勢においては、カバー１９が直立している。このとき、前板５１が垂直に立っており、本体筒部１７の前壁２１より少し前方にある。前板５１と前壁２１は平行である。前板５１の上端は後方に折り曲げられており、これにより前板５１と前壁２１の上方の隙間が小さくなっている。
【００２４】
また、側板５３、５５は、本体筒部１７の側壁２３、２５に合わさっている。そして、側板５３、５５は、側壁２３、２５にそれぞれ締結されている。締結のために、カバー１９の側板５３、５５に貫通穴が設けられ、本体筒部１７の側壁２３、２５にねじ穴が設けられている。貫通穴およびねじ穴は、縮小姿勢にて位置が一致するように設けられている。この貫通穴およびねじ穴を利用して、ねじ６１でカバー１９が本体筒部１７に固定される。
【００２５】
縮小姿勢では、上記のようにカバー１９が本体筒部１７の３方を取り囲む。そして、カバー１９は、前壁２１の下部の壁開口３９を塞いでいる。ここで、壁開口３９を塞ぐとは、ケーブル１３が目立たないように隠れる範囲で壁開口３９を見えなくすることをいう。本実施の形態では、壁開口３９の回りにカバー１９が位置することで、壁開口３９が塞がれている。
【００２６】
また、縮小姿勢では、カバー１９の側板５３、５５の上縁６３は水平である。これに対して、側板５３、５５の下縁６５は傾斜しており、後方が高くなっている。
【００２７】
次に、拡張姿勢について説明する。上記の縮小姿勢では、カバー１９が本体筒部１７を取り囲むように立っている。これに対して、拡張姿勢では、図１の下方に示されるように、カバー１９が筒部本体１１に対して傾斜している。すなわち、図１に示すように、拡張姿勢では、前板１３の下端が手前に移動し、これに伴ってカバー上端が下に下がり、カバー１９が傾斜している。
【００２８】
拡張姿勢では、カバー１９が本体筒部１７に対して傾斜するので、カバー１９が本体筒部１７の筒壁から離れる。より詳細には、前板５１が傾斜して、本体筒部１７の前壁２１から離れる。これにより、図４の断面図に示すように、本体筒部１７の外に補助ダクト空間６７が形成される。補助ダクト空間６７は、カバー１９の前板５１、本体筒部１７の前壁２１および床面６９で構成される３角形の空間である。また、補助ダクト空間６７の両側は、カバー１９の側板５３、５５で覆われる。補助ダクト空間６７は、前壁２１の壁開口３９を介してダクト空間２９と連通する。
【００２９】
カバー１９の側板５３、５５は、拡張姿勢においても、本体筒部１７の側壁２１、２３と部分的に重なっている。そして、側板５３、５５が側壁２１、２３にねじ６１で固定される。貫通穴およびねじ穴は、縮小姿勢だけでなく拡張姿勢でも位置が合うように設けられている。
【００３０】
また、拡張姿勢では、カバー１９の傾斜によって、下縁６５が水平になっている。これにより、下縁６５が、床面６９と平行に延び、床面６９と近接している。
【００３１】
以上に、ケーブルダクト装置１の各部構成を説明した。このケーブルダクト装置１は以下のようにして備え付けられる。操作卓には予めケーブル１３が取り付けられる。ケーブル１３の束はクランプ１５で操作卓台３の横桟５に保持されている。ケーブル１３は横桟５から垂れ下がり、床面落込み口１１を通って床下に入っているとする。
【００３２】
この状態で、まず、本体筒部１７の後方部材３３が横桟５の適当な位置に固定される。このとき、後方部材３３は、床面落込み口１１と左右方向の位置が同じになるように配置される。それから、ケーブル１３の束を取り囲むように、後方部材３３に前方部材３１が固定される。これにより、本体筒部１７が形成され、ダクト空間２９内にケーブル１３が納まる。
【００３３】
次に、カバー１９が本体筒部１７に取り付けられる。このとき、床面落込み口１１の位置によって取付姿勢が選択される。図１の上側では、床面落込み口１１が本体筒部１７の真下にある。この場合、縮小姿勢が選択される。カバー１９が本体筒部１７を取り囲むので、ケーブルダクト装置１はコンパクトになる。ケーブル１３は、本体筒部１７のダクト空間２９を上から下に抜けて、床下に入る。ケーブル１３の束はケーブルダクト装置１の外にはみ出さない。
【００３４】
一方、図１の下側では、床面落込み口１１が本体筒部１７より手前にある。この場合、拡張姿勢が選択される。ケーブル１３は、本体筒部１７のダクト空間２９を上から下に進む。そして、ケーブル１３は、ダクト空間２９の中で前方に曲がり、前壁２１の下部の壁開口３９を通る。そして、ケーブル１３は、カバー１９により形成される補助ダクト空間６７を通り、床面落込み口１１を通って床下に入る。この場合も、ケーブル１３は、ケーブルダクト装置１の外にはみ出さずにすむ。
【００３５】
以上に本発明の第１の実施の形態に係るケーブルダクト装置１について説明した。本実施の形態によれば、床側開口の領域を変更する可変開口領域構造を備えたことにより、床面落込み口１１の位置に合わせて床側開口９の領域を変更して、ケーブル１３の露出を低減することができる。
【００３６】
また、本実施の形態によれば、本体筒部１７へのカバー１９の取付姿勢を変更することによって床側開口９の領域を変更できる。床側開口９の領域を作業者が容易に変更できるケーブルダクト装置１を、本体筒部１７とカバー１９を備えた簡単な構成でもって実現できる。
【００３７】
次に、本発明の第２の実施の形態に係るケーブルダクト装置について説明する。本実施の形態では、本体筒部に円筒部が設けられ、円筒部を中心にカバーの方向を変更可能に構成されている。以下、第１の実施の形態との相違点を中心に、第２の実施の形態について説明する。
【００３８】
図５〜図８は、本実施の形態のケーブルダクト装置を示している。図５〜図７は、ケーブルダクト装置１０１の斜視図であり、図５は縮小姿勢を示し、図６および図７は拡張姿勢を示している。また、図８は、ケーブルダクト装置１０１の分解図である。ケーブルダクト装置１０１は、本体筒部１０３とカバー１０５で構成されている。
【００３９】
図８に示すように、本実施の形態では、本体筒部１０３が、角筒部１１１と円筒部１１３で構成されている。角筒部１１１は後方に位置し、左右の側壁１１５、１１７と、後壁１１９で構成されている。後壁１１９は中央で直角に折り曲げられている。側壁１１５、１１７の上端は折り曲げられており、水平な取付フランジ１２１が形成されている。両側の取付フランジ１２１が、操作卓台１２３の縦桟１２５、横桟１２７にそれぞれねじ等で固定されている。これにより、本体筒部１０３は、上方から見て操作卓台１２３の縦桟１２５および横桟１２７に対して斜め４５度を向けて配置される。
【００４０】
また、側板１１５、１１７の前端が折り曲げられており、折曲げ部分１２９が形成されている。一方、円筒部１１３の断面か完全な円ではなく、円筒部１１３は一部が欠けた円弧状の断面を有している。そして、円筒部１１３の両端も折り曲げられて、折曲げ部分１３１が形成されている。これら折曲げ部分１２９と折曲げ部分１３１が合わされて、ねじで固定されている。これにより、円筒部１１３が角筒部１１１と組み合わされて、本体筒部１０３が形成され、本体筒部１０３を貫通するダクト空間１３３が形成されている。
【００４１】
また、円筒部１０３の前側の下部には、第１の実施の形態と同様に、壁開口１３５が形成されている。
【００４２】
次に、カバー１０５について説明する。カバー１０５は、第１の実施の形態と同様に、前板１５１および側板１５３、１５５を有しており、本体筒部１０３を部分的に取り囲む形状を有している。図５の縮小姿勢においては、カバー１０５が直立しており、このとき、前板１５１が垂直に立っている。前板１５１は、本体筒部１０３の円筒部１１３に合わせるように円筒面で構成されており、前板１５１の断面は略半円である。また、前板１５１は円筒部１１３から少し離れている。そして、前板１５１の上端は後方に折り曲げられており、これにより、前板１５１と本体筒部１０３の隙間が小さくなっている。
【００４３】
また、側板１５３、１５５は、前板１５１の半円筒の両端に続く平面の板であり、両者は平行である。側板１５３、１５５は、本体筒部１０３の円筒部１１３の両側に接しており、さらに後方で、角筒部１１１の側壁１１５、１１７に合わさっている。そして、側板１５３、１５５は、ねじ１５７を用いて円筒部１１３に２カ所で結合されており、さらに、ねじ１５７を用いて側壁１１５、１１７に１カ所で結合されている。こうしたねじ結合のために、縮小姿勢で位置が合うように本体側のねじ穴とカバー側の貫通穴が設けられている。
【００４４】
縮小姿勢では、上記のような構成によってカバー１０５が本体筒部１０３を取り囲む。そして、カバー１０５は、本体筒部１０３の下部の壁開口１３５を塞いでいる。ここでも、壁開口１３５を塞ぐとは、ケーブル１６１が目立たないように隠れる範囲で壁開口１３５を見えなくすることをいう。本実施の形態では、壁開口１３５の回りにカバー１０５が位置することで、壁開口１３５が塞がれている。
【００４５】
また、縮小姿勢におけるカバー１０５の下側の縁を第１縁部１７１と呼び、カバー１０５の上側の縁を第２縁部１７３と呼ぶ。縮小姿勢では、第１縁部１７１が水平である。また、第２縁部１７３が傾斜しており、後端が下に下がっている。カバー１０５の後縁部１７５は、第２縁部１７３に対して直角である。したがって、後縁部１７５も傾斜している。後縁部１７５の下端は、カバー１０５の前板１５１（半円筒）と側板１５３、１５５（平板）の境界付近で、第１縁部１７１の後端に合う。
【００４６】
次に、拡張姿勢について説明する。縮小姿勢では、カバー１０５が本体筒部１０３を取り囲むように立っている。図８に示されるように、拡張姿勢ではカバー１０５が倒立される。すなわち、縮小姿勢と拡張姿勢では、カバー１０５が逆さまである。そして、図６および図７に示されるように、拡張姿勢では、カバー１０５が筒部本体１０３に対して傾斜している。カバー１０５の傾斜により、カバー１０５が本体筒部１０３の筒壁から離れ、本体筒部１０３の外に補助ダクト空間１８１が形成される。補助ダクト空間１８１は側方から見ると略三角形の空間である。そして、補助ダクト空間１８１は、本体筒部１０３の前側下部の壁開口１３５を介して本体内部のダクト空間１３３と連通する。
【００４７】
上記の補助ダクト空間が形成される点では、第２の実施の形態は第１の実施の形態と同じである。ただし、第２の実施の形態では、本体筒部１０３の円筒部１１３を中心としてカバー１０５の方向を変えられる。本実施の形態では、９０度の範囲でカバー１０５の方向を変えられる。すなわち、図８の実線の位置を中心として、左右に４５度の範囲でカバー１０５を変更できる。図６の例では、カバー１０５の向きが可動範囲の中心にあり、図７の例ではカバー１０５が左を向いている。
【００４８】
上記のカバー方向の変更のために、本体筒部１０３の円筒部１１３には、円周方向に複数のねじ穴１８３が設けられている。カバー１０５が適当な方向に配置され、適当なねじ穴１８３へとカバー１０５の穴１８５の位置が合わされる。穴１８５はカバー１０５の後縁部１７５の上下端にある。ねじ１５７が穴１８５に通されてねじ穴１８３に締め付けられる。
【００４９】
また、拡張姿勢では、カバー１０５の第１縁部１７１が上側に位置し、第２縁部１７３が下側に位置している。そして、第１縁部１７１は、本体筒部１０３の前側の円筒面に近接している。また、第２縁部１７３は水平になっており、床面１８７と平行になり、床面１８７と近接している。
【００５０】
以上に、ケーブルダクト装置１０１の各部構成を説明した。このケーブルダクト装置１０１は以下のようにして備え付けられる。操作卓には予めケーブル１６１が取り付けられる。ケーブル１６１の束はクランプ１８９で操作卓台１２５の横桟１２７に保持されている。ケーブル１６１は横桟１２７から垂れ下がり、床面落込み口１９１を通って床下に入っているとする。
【００５１】
この状態で、まず、本体筒部１０３の角筒部１１１が、操作卓台１５に下方から取り付けられる。角筒部１１１は、縦桟１２５および横桟１２７のコーナー部に取り付けられる。それから、ケーブル１６１の束を取り囲むように、角筒部１１１に円筒部１１３が固定される。これにより、本体筒部１０３が形成され、ダクト空間１３３内にケーブル１６１が納まる。
【００５２】
次に、カバー１０５が本体筒部１０３に取り付けられる。このとき、床面落込み口１９１の位置によって取付姿勢が選択される。図５では、床面落込み口１９１が本体筒部１０３の真下にあり、この場合、縮小姿勢が選択される。この点は、第１の実施の形態と同様である。
【００５３】
一方、図６および図７では、床面落込み口１９１が本体筒部１０３からずれており、本体筒部１０３の下にない。この場合、拡張姿勢が選択される。そして、さらに、カバー１０５の向きが、床面落込み口１９１の位置に応じて選択される。カバー１０５が床面落込み口１９１の上に位置するように、カバー１０５の向きが選択され、そして、カバー１０５が本体筒部１０３にねじ１５７で固定される。
【００５４】
これにより、ケーブル１６１は、本体筒部１０３のダクト空間１３３を上から下に進み、ダクト空間１３３の中で前方に曲がり、壁開口１３５を通る。そして、ケーブル１６１、カバー１０５により形成される補助ダクト空間１８１を通り、床面落込み口１９１を通って床下に入る。ケーブル１６１は、ケーブルダクト装置１０１の外にはみ出さずにすむ。
【００５５】
以上に本発明の第２の実施の形態に係るケーブルダクト装置１０１について説明した。本実施の形態によっても、床側開口の領域を変更する可変開口領域構造を備えたことにより、床面落込み口の位置に合わせて床側開口の領域を変更して、ケーブルの露出を低減することができる。
【００５６】
また、本実施の形態によれば、本体筒部１０３が本体円筒部を有しており、拡張姿勢のカバー１０５の向きを変更できるので、床側開口の領域変更の自由度を増し、ケーブル露出をさらに低減できる。
【００５７】
また、本実施の形態によれば、カバー１０５が、縮小姿勢にて本体円筒部１１３を囲む半円筒状の前板部とその両側の平行な側板部とを有している。カバー１０５の上下が縮小姿勢と拡張姿勢で逆さまである。縮小姿勢のカバー１０５において、下端の第１縁部１７１が水平であり、上端の第２縁部１７３が傾斜している。拡張姿勢では、第１縁部１７１が上側に位置して本体円筒面に近接し、第２縁部１７３が下側に位置して床に近接する。縮小姿勢における上縁を斜めにしたので、拡張姿勢における下縁を水平にして、床面とカバー１０５の隙間を小さくできる。このような構成により、縮小姿勢ではカバー１０５と本体筒部１０３がコンパクトに組み合わされ、また、拡張姿勢ではケーブルダクトと床面の隙間を小さくすることができ、ケーブル露出をさらに低減できる。
【００５８】
次に、本発明の第３の実施の形態に係るケーブルダクト装置について説明する。本実施の形態は、蛇腹タイプの壁を設けることによってダクトの床側開口領域を変更可能にしている。
【００５９】
図９は、本実施の形態のケーブルダクト装置を示している。ケーブルダクト装置２０１は、後壁部２０３と蛇腹壁部２０５とで構成されている。後壁部２０３は、操作卓台２０７の横桟２０９の下にねじ等で固定されている。蛇腹壁部２０５は、屈曲した板状部材であり、水平方向に伸縮および屈曲可能である。蛇腹壁部２０５の両端には、取付バー２１１、２１３が備えられている。取付バー２１１、２１３は縦方向に長い棒状の部材である。取付バー２１１が操作卓台２０７にねじ等で固定され、取付バー２１３が後壁部２０３にねじ等で固定され、これにより蛇腹壁部２０５が取り付けられている。
【００６０】
以上に、ケーブルダクト装置２０１の構成を説明した。このケーブルダクト装置２０１は以下のようにして備え付けられる。操作卓には予めケーブル２２１が取り付けられる。ケーブル２２１の束はクランプ２２３で操作卓台２０７の横桟２０９に保持されている。ケーブル２２１は横桟２０９から垂れ下がり、床面落込み口２２５を通って床下に入っているとする。
【００６１】
この状態で、まず、後壁部２０３が横桟２０９の適当な位置に固定される。このとき、後壁部２０９は、床面落込み口２２５と左右方向の位置が同じになるように配置される。図９の例では、床面落込み口２２５が横桟２０９の左端付近にあり、したがって、後壁部２０３も横桟２０９の左端に取り付けられている。
【００６２】
後壁部２０３を取り付けてから、次に、ケーブル２２１の束を取り囲むように、後壁部２０３に蛇腹壁部２０５が固定される。このとき、蛇腹壁部２０５の取付バー２１３が後壁部２０３にねじなどで固定される。もう一方の取付バー２１１は操作卓台２０７の足に取り付けられる。これにより、ケーブルダクト装置２０１が作られる。ケーブル２２１がダクト空間２２７を通って床面落込み口２２５に入る。
【００６３】
本実施の形態では、蛇腹壁部２０５は伸縮および屈曲可能なので、ケーブル２２１を取り囲むことができる。この点に関し、ケーブル２２１の通る場所は、床面落込み口２２５の位置に応じて変わる。しかし、蛇腹壁部２０５の伸縮および屈曲可能なので、ケーブル２２１の配置形状に応じて蛇腹壁部２０５が変形し、ケーブル２２１を取り囲むことができ、ケーブル２２１の露出を低減できる。
【００６４】
また、図９の例では、後壁部２０５が横桟２０９の端に設置されており、これに伴い、取付バー２１１が操作卓台２０７に固定されている。取付バー２１１、２１３の取付位置は、後壁部２０３の位置に応じて変更されてよい。例えば、床面落込み口２２５が操作卓の中央よりに位置するとき、後壁部２０５も中央よりに位置してよい。このときは、取付バー２１１、２１３の両方が後壁部２０５に取り付けられてよい。
【００６５】
以上に本発明の第３の実施の形態に係るケーブルダクト装置２０１について説明した。本実施の形態によっても、床側開口の領域を変更する可変開口領域構造を備えたことにより、床面落込み口の位置に合わせて床側開口の領域を変更して、ケーブルの露出を低減することができる。
【００６６】
また、本実施の形態によれば、水平方向に伸縮および屈曲可能な蛇腹壁部２０５を備えたことで、床側開口の領域を床面落込み口２２５の位置に合わせて変更することができ、ケーブル露出を低減できる。また、蛇腹壁部２０５が伸縮可能なので、ケーブル本数に応じてダクトサイズも変更することができる。
【００６７】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００６８】
以上のように、本発明にかかるケーブルダクト装置は、ケーブル露出を低減できるという効果を有し、電子機器等のケーブルダクト装置として有用である。
【図面の簡単な説明】
【００６９】
【図１】本発明の第１の実施の形態におけるケーブルダクト装置を示す斜視図
【図２】ケーブルダクト装置の分解図
【図３】本体筒部の分解図
【図４】ケーブルダクト装置の断面図
【図５】本発明の第２の実施の形態におけるケーブルダクト装置を示す斜視図
【図６】本発明の第２の実施の形態におけるケーブルダクト装置を示す斜視図
【図７】本発明の第２の実施の形態におけるケーブルダクト装置を示す斜視図
【図８】本発明の第２の実施の形態におけるケーブルダクト装置を示す分解図
【図９】本発明の第３の実施の形態におけるケーブルダクト装置を示す斜視図
【図１０】従来のケーブルダクト装置を示す図
【図１１】従来のケーブルダクト装置を示す図
【符号の説明】
【００７０】
１  ケーブルダクト装置
３  操作卓台
７  機器接続側開口
９  床側開口
１１  床面落込み口
１３  ケーブル
１５  本体筒部
１７  カバー
２９  ダクト空間
３９  壁開口
６７  補助ダクト空間
【図１】
2006311737.tif 000003
【図２】
2006311737.tif 000004
【図３】
2006311737.tif 000005
【図４】
2006311737.tif 000006
【図５】
2006311737.tif 000007
【図６】
2006311737.tif 000008
【図７】
2006311737.tif 000009
【図８】
2006311737.tif 000010
【図９】
2006311737.tif 000011
【図１０】
2006311737.tif 000012
【図１１】
2006311737.tif 000013